(57)【要約】【課題】ＩＣタグから読み込んだ情報に基づいてカメラの撮像条件を決定し、撮像画像に画像処理を施すこと。【解決手段】カメラＩ／Ｆ３９２は、ＩＣタグ読み取りユニット４５で読み込まれる物または場所に固有の固有情報に基づいて画像の撮像条件を決定する。画像処理部３９３は、カメラＩ／Ｆ３９２で決定された撮像条件で撮像された画像データを、ＩＣタグ読み取りユニット４５で読み込まれる物または場所に固有の固有情報に基づいて画像処理する。【選択図】図１
2007178804.tif 000002
【特許請求の範囲】
【請求項１】
物または場所に固有の固有情報を入力する情報入力手段と、
被写体像を撮像して画像データを生成する撮像手段と、
前記情報入力手段で入力された前記固有情報に基づいて、前記撮像手段の撮像条件を決定する決定手段とを備えることを特徴とするカメラ。
【請求項２】
請求項１に記載のカメラにおいて、
前記決定手段は、前記固有情報に基づいて特定される被写体の種類に応じて、前記撮像手段の露出条件を決定することを特徴とするカメラ。
【請求項３】
請求項２に記載のカメラにおいて、
前記撮像手段の露出条件は、シャッタースピード、および絞り値の少なくともいずれか一方であり、
前記決定手段は、前記固有情報に基づいて、シャッタースピード、および絞り値の少なくともいずれか一方を決定することを特徴とするカメラ。
【請求項４】
請求項２に記載のカメラにおいて、
前記撮像手段の露出条件は、シャッタースピード、絞り値、およびＩＳＯ感度の少なくともいずれか１つであり、
前記決定手段は、前記固有情報に基づいて、シャッタースピード、絞り値、およびＩＳＯ感度の少なくともいずれか１つを決定することを特徴とするカメラ。
【請求項５】
請求項１に記載のカメラにおいて、
前記決定手段は、前記固有情報に基づいて、被写体像を照明するための内蔵照明手段または外付け照明手段による照明の可否を決定することを特徴とするカメラ。
【請求項６】
請求項１に記載のカメラにおいて、
前記撮像手段は、
合焦レンズを含む撮像光学系と、
前記合焦レンズの位置を調節することにより、前記撮像光学系の焦点調節をする焦点調節手段とを含み、
前記決定手段は、前記焦点調節手段により前記撮像光学系を合焦させた状態で前記撮像手段が撮像を行う第１撮像モードと、前記焦点調節手段により前記撮像光学系を合焦させた後で前記合焦レンズを移動させた状態で前記撮像手段が撮像を行う第２撮像モードとのいずれか一方を前記固有情報に基づいて決定することを特徴とするカメラ。
【請求項７】
請求項１に記載のカメラにおいて、
前記撮像手段は、撮像部と画像処理部とを含み、
前記画像処理部は、前記固有情報に基づいて、前記撮像部から出力される前処理画像データを画像処理して前記画像データを生成することを特徴とするカメラ。
【請求項８】
請求項７に記載のカメラにおいて、
前記画像処理部は、前記固有情報に基づいて、前記前処理画像データに被写体の色を再現するための色再現処理を施して前記画像データを生成することを特徴とするカメラ。
【請求項９】
請求項８に記載のカメラにおいて、
前記固有情報は、前記物または場所に関する色情報を含み、
前記画像処理部は、前記色情報に基づいて、前記前処理画像データに前記色再現処理を施すことを特徴とするカメラ。
【請求項１０】
請求項７に記載のカメラにおいて、
前記画像処理部は、前記固有情報に基づいて、前記前処理画像データに輪郭強調処理を施すことを特徴とするカメラ。
【請求項１１】
請求項１０に記載のカメラにおいて、
前記固有情報は、前記物または場所の種別に関する種別情報を含み、
前記画像処理部は、前記種別情報に基づいて、前記前処理画像データに輪郭強調処理を施すことを特徴とするカメラ。
【請求項１２】
請求項７に記載のカメラにおいて、
前記画像処理部は、前記固有情報に基づいて、前記前処理画像データに階調変換処理を施すことを特徴とするカメラ。
【請求項１３】
請求項１２に記載のカメラにおいて、
前記固有情報は、前記物または場所の種別に関する種別情報を含み、
前記画像処理部は、前記種別情報に基づいて、前記前処理画像データに階調変換処理を施すことを特徴とするカメラ。
【請求項１４】
請求項１に記載のカメラにおいて、
通信回線を介して通信する通信手段をさらに備え、
前記決定手段は、前記情報入力手段で入力された前記固有情報が、前記撮像手段の撮像条件を決定するために必要な情報を含んでいない場合には、前記通信手段を介して不足する情報を外部から取得して前記撮像手段の撮像条件を決定することを特徴とするカメラ。
【請求項１５】
請求項１に記載のカメラにおいて、
前記決定手段は、前記情報入力手段により前記固有情報が入力されない場合には、前記固有情報に基づくことなく、前記撮像手段の撮像条件を決定することを特徴とするカメラ。
【請求項１６】
請求項１に記載のカメラにおいて、
使用者による操作に基づいて前記撮像手段の撮像条件を設定する設定手段をさらに備え、
前記決定手段は、前記設定手段で前記撮像手段の撮像条件が設定された場合には、前記固有情報に基づくことなく、前記設定された撮像条件を前記撮像手段の撮像条件として決定することを特徴とするカメラ。
【発明の詳細な説明】
【技術分野】
【０００１】
本発明は、被写体像を撮像するカメラに関する。
【背景技術】
【０００２】
次のような画像処理システムが特許文献１によって知られている。この画像処理システムによれば、物品の識別情報を非接触読取が可能なメモリから読み取り、撮像した画像に対して、読み取った識別情報に基づいて画像処理を行う。
【０００３】
【特許文献１】特開２００４−３２８２０２号公報
【発明の開示】
【発明が解決しようとする課題】
【０００４】
しかしながら、従来の画像処理システムにおいては、予め撮像した画像に対して、読み取った識別情報を用いて画像処理を行うため、被写体によっては画像処理後に得られる画像が不所望な場合があるという問題が生じていた。
【課題を解決するための手段】
【０００５】
請求項１に記載の発明によるカメラは、物または場所に固有の固有情報を入力する情報入力手段と、被写体像を撮像して画像データを生成する撮像手段と、情報入力手段で入力された固有情報に基づいて、撮像手段の撮像条件を決定する決定手段とを備えることを特徴とする。
請求項２に記載の発明によるカメラは、請求項１に記載のカメラにおいて、決定手段は、固有情報に基づいて取得される被写体の種類に応じて、撮像手段の露出条件を決定することを特徴とする。
請求項３に記載の発明によるカメラは、請求項２に記載のカメラにおいて、撮像手段の露出条件は、シャッタースピード、および絞り値の少なくともいずれか一方であり、決定手段は、固有情報に基づいて、シャッタースピード、および絞り値の少なくともいずれか一方を決定することを特徴とする。
請求項４に記載の発明によるカメラは、請求項２に記載のカメラにおいて、撮像手段の露出条件は、シャッタースピード、絞り値、およびＩＳＯ感度の少なくともいずれか１つであり、決定手段は、固有情報に基づいて、シャッタースピード、絞り値、およびＩＳＯ感度の少なくともいずれか１つを決定することを特徴とする。
請求項５に記載の発明によるカメラは、請求項１に記載のカメラにおいて、決定手段は、固有情報に基づいて、被写体像を照明するための内蔵照明手段または外付け照明手段による照明の可否を決定することを特徴とする。
請求項６に記載の発明によるカメラは、請求項１に記載のカメラにおいて、撮像手段は、合焦レンズを含む撮像光学系と、合焦レンズの位置を調節することにより、撮像光学系の焦点調節をする焦点調節手段とを含み、決定手段は、焦点調節手段により撮像光学系を合焦させた状態で撮像手段が撮像を行う第１撮像モードと、焦点調節手段により撮像光学系を合焦させた後で合焦レンズを移動させた状態で撮像手段が撮像を行う第２撮像モードとのいずれか一方を固有情報に基づいて決定することを特徴とする。
請求項７に記載の発明によるカメラは、請求項１に記載のカメラにおいて、撮像手段は、撮像部と画像処理部とを含み、画像処理部は、固有情報に基づいて、撮像部から出力される前処理画像データを画像処理して画像データを生成することを特徴とする。
請求項８に記載の発明によるカメラは、請求項７に記載のカメラにおいて、画像処理部は、固有情報に基づいて、前処理画像データに被写体の色を再現するための色再現処理を施して画像データを生成することを特徴とする。
請求項９に記載の発明によるカメラは、請求項８に記載のカメラにおいて、固有情報は、物または場所に関する色情報を含み、画像処理部は、色情報に基づいて、前処理画像データに色再現処理を施すことを特徴とする。
請求項１０に記載の発明によるカメラは、請求項７に記載のカメラにおいて、画像処理部は、固有情報に基づいて、前処理画像データに輪郭強調処理を施すことを特徴とする。
請求項１１に記載の発明によるカメラは、請求項１０に記載のカメラにおいて、固有情報は、物または場所の種別に関する種別情報を含み、画像処理部は、種別情報に基づいて、前処理画像データに輪郭強調処理を施すことを特徴とする。
請求項１２に記載の発明によるカメラは、請求項７に記載のカメラにおいて、画像処理部は、固有情報に基づいて、前処理画像データに階調変換処理を施すことを特徴とする。
請求項１３に記載の発明によるカメラは、請求項１２に記載のカメラにおいて、固有情報は、物または場所の種別に関する種別情報を含み、画像処理部は、種別情報に基づいて、前処理画像データに階調変換処理を施すことを特徴とする。
請求項１４に記載の発明によるカメラは、通信回線を介して通信する通信手段をさらに備え、決定手段は、情報入力手段で入力された固有情報が、撮像手段の撮像条件を決定するために必要な情報を含んでいない場合には、通信手段を介して不足する情報を外部から取得して撮像手段の撮像条件を決定することを特徴とする。
請求項１５に記載の発明によるカメラは、請求項１に記載のカメラにおいて、決定手段は、情報入力手段により固有情報が入力されない場合には、固有情報に基づくことなく、撮像手段の撮像条件を決定することを特徴とする。
請求項１６に記載の発明によるカメラは、請求項１に記載のカメラにおいて、使用者による操作に基づいて撮像手段の撮像条件を設定する設定手段をさらに備え、決定手段は、設定手段で撮像手段の撮像条件が設定された場合には、固有情報に基づくことなく、設定された撮像条件を撮像手段の撮像条件として決定することを特徴とする。
【発明の効果】
【０００６】
本発明によれば、物や場所に応じた撮像条件で画像を撮像することができ、撮像後の画像は、物体の識別情報に基づいて画像処理を施す場合に比べて見栄えの良いものにすることができる。
【発明を実施するための最良の形態】
【０００７】
図１は、本実施の形態におけるカメラの一実施の形態の構成を示すブロック図である。カメラ１００は、例えばデジタルカメラであり、撮像部１０３と、ＡＳＩＣ３９と、操作スイッチ（操作ＳＷ）４０と、フラッシュユニット４１と、メモリ４２と、モニタＬＣＤ４３と、記録メディア４４と、ＩＣタグ読み取りユニット４５と、通信装置４６とを備えている。撮像部１０３は、レンズ３１と、絞り３２と、メカニカルシャッター３３と、モータドライバ（ＭＤ）３４〜３６と、ＣＣＤ３７と、ＡＦＥ３８とを備えている。
【０００８】
レンズ３１を通した被写体像は、絞り３２およびメカニカルシャッター３３で光量を制御されＣＣＤ３７に露光される。ＣＣＤ３７は、入射した光を光電変換することによって画像データを生成し、ＡＦＥ３８へ出力する。そしてＡＦＥ３８で相関二重サンプリング（ＣＤＳ）、ＩＳＯ感度ゲイン（ＰＧＡ）、ＡＤ変換（ＡＤＣ）されてＡＳＩＣ３９へ出力される。またＡＦＥ３８は、ＣＣＤ３７の駆動タイミング（ＴＧ）を生成し、ＣＣＤ３７を駆動（Ｖｄｒ）する。なお、本実施の形態では、ＡＳＩＣ３９へ出力される前段階の画像データを前処理画像データと呼ぶ。
【０００９】
本実施の形態におけるＣＣＤ３７は、例えば単板式カラー撮像素子の最も代表的なＲ（赤）、Ｇ（緑）、Ｂ（青）のカラーフィルタがＢａｙｅｒ配列されている。そして、ＣＣＤ３７から出力される画像データはＲＧＢ表色系で示されるＲＧＢ画像データであり、画像データを構成する各々の画素には、ＲＧＢのいずれか１つの色成分の色情報が存在しているものとする。すなわちＢａｙｅｒ画像であるものとする。
【００１０】
操作ＳＷ４０は、使用者によって操作されるレリーズスイッチや操作スイッチなど種々のスイッチを含む。フラッシュユニット４１は、内蔵フラッシュまたは外付けフラッシュのいずれかであり、フラッシュを発光して被写体を照明する。メモリ４２は、カメラ１００に内蔵された内蔵メモリであり、撮像画像や種々の制御プログラムを記録する。モニタＬＣＤ４３は、例えばカメラ１００に搭載された背面液晶モニタであり、撮像画像や種々の設定用メニューを表示する。記録メディア４４は、メモリカード等の外部画像記録用メモリである。通信装置４６は、例えば無線通信装置であり、外部のサーバと通信して外部サーバから情報を取得する。
【００１１】
ＩＣタグ読み取りユニット４５は、例えばＩＣリーダである。本実施の形態では、カメラ１００による撮像の対象となる観光地などの特定の場所および種々の物体にＩＣタグが付されている。観光地などの特定の場所に付されたＩＣタグには、当該場所に固有の情報が記録されており、物体に付されたＩＣタグには、当該物に固有の情報が記録されている。本実施の形態では、ＩＣタグには、物または場所に固有の固有情報として少なくとも次の（１）〜（３）に示す情報が記録されている。
【００１２】
（１）物に関する色情報
物に関する色情報としては、所定の条件下でのＲＧＢ情の色報、例えばデイライトにおけるＲＧＢの色情報が記録されている。
【００１３】
（２）物の種別情報
物の種別情報としては、例えば時計、自動車、貴金属、グラス、女性用の服、動物などのその物の種類を示す情報が記録されている。
【００１４】
（３）場所に関する観光スポット情報
観光スポット情報としては、例えば滝、小川などのその場所に関する情報が記録されている。
【００１５】
ここで、ＩＣタグは非接触型のＩＣタグであり、ＩＣタグにはＩＣタグ読み取りユニット４５との間で電波を受発信するアンテナが埋め込まれている。そして、使用者がＩＣタグにＩＣタグ読み取りユニット４５部分をかざすと、ＩＣタグは、ＩＣタグ読み取りユニット４５が発する微弱な電磁波をとらえて起電力とし、ＩＣタグ読み取りユニット４５との間でデータの送受信を行う。これによって、ＩＣタグ読み取りユニット４５は、ＩＣタグに記録された情報を読み取ることができ、上述した物または場所に固有の固有情報を読み込む（取得する）ことができる。
【００１６】
そして、ＩＣタグ読み取りユニット４５は、このように場所および物に付されたＩＣタグから読み込んだ固有情報をＡＳＩＣ３９へ出力する。なお、ＩＣタグ読み取りユニット４５は、使用者によって操作ＳＷ４０が操作され、ＩＣタグ読み取りモードの実行が指示された場合、上述したように微弱な電磁波を発して、ＩＣタグからのデータを読み取り可能な状態となる。
【００１７】
ＡＳＩＣ３９は、ＣＰＵ３９１と、カメラＩ／Ｆ３９２と、画像処理部３９３とを含んでいる。ＣＰＵ３９１は、ＡＳＩＣ３９全体、すなわちカメラＩ／Ｆ３９２および画像処理部３９３を制御する。
【００１８】
カメラＩ／Ｆ３９２は、ＩＣタグ読み取りユニット４５で読み込まれる場所または物に固有の情報に基づいて画像の撮像条件を決定し、決定した撮像条件に基づいて、露出制御処理、フォーカス制御処理、およびフラッシュ制御処理を実行する。具体的には次の（Ａ）〜（Ｃ）で説明する各処理を実行する。
【００１９】
（Ａ）露出制御処理
露出制御処理を行うに当たっては、カメラＩ／Ｆ３９２は、ＩＣタグ読み取りユニット４５で読み取った物または場所に固有の固有情報から、上述した（１）〜（３）の各固有情報を取得する。そして、取得した固有情報に基づいて、シャッタースピード、絞り、およびＩＳＯ感度の少なくともいずれか１つの制御内容を決定する。
【００２０】
カメラＩ／Ｆ３９２は、決定したシャッタースピードの制御内容に基づいてＭＤ３５を制御することによって、メカニカルシャッター３３のシャッタースピードを制御する。また、カメラＩ／Ｆ３９２は、決定した絞りの制御内容に基づいてＭＤ３４を制御することによって、絞り３２を制御する。また、カメラＩ／Ｆ３９２は、決定したＩＳＯ感度の制御内容に基づいてＡＦＥ３８を制御してＰＧＡゲイン値を制御する。
【００２１】
例えば、取得した（１）の情報、すなわち物に関する色情報に基づいて、ＩＣタグが付されている物体が黒色の物体であると判定した場合には、カメラＩ／Ｆ３９２は、シャッタースピード、絞り、およびＩＳＯ感度を制御して、露出をアンダーに制御する。これによって、例えば被写体が黒い車である場合には、その車のリアルな色を再現した画像を撮像することができる。
【００２２】
取得した（２）の情報、すなわち物の種別情報に基づいて、ＩＣタグが付されている物体がグラスや宝石などのキラキラ光る物体であると判定した場合には、カメラＩ／Ｆ３９２は、虹彩絞りを絞り込む制御を行う。これによって、キラキラ光る物体のキラキラ感を際立たせた画像を撮像することができる。
【００２３】
また、取得した（２）の情報、すなわち物の種別情報に基づいて、ＩＣタグが付されている物体がペットなどの動物であると判定した場合には、カメラＩ／Ｆ３９２は、動きの早い動物を確実に撮像するためにシャッタースピードを上げるように制御する。そして、これに伴って画像が暗くなること防ぐために、絞りを開放側に設定すると同時にＩＳＯ感度を上げるように制御して画像の明るさを調整する。
【００２４】
これによって、最適な明るさで動きが早い動物を撮像することができる。なお、ここで、取得した（２）の情報に基づいて、ＩＣタグが付されている物体がペット用の首輪や衣類であると判定した場合にも、それらの物品を着用しているのはペットであると考えられるため、被写体はペットであると判定して、物の種別がペットである場合と同様の処理をするようにしてもよい。
【００２５】
さらに、取得した（３）の情報、すなわち場所に関する観光スポット情報に基づいて、ＩＣタグが付されている場所が滝や小川などの観光スポットであると判定した場合には、カメラＩ／Ｆ３９２は、滝の流れや小川のせせらぎ等、水の流れを表現した画像を撮像するためにシャッタースピードを遅くするように制御する。そして、これに伴って画像が明るくなりすぎること防ぐために、絞りを絞ると同時にＩＳＯ感度を下げるように制御して画像の明るさを調整する。これによって、最適な明るさ水の流れを表現した画像を撮像することができる。
【００２６】
（Ｂ）フォーカス制御処理
フォーカス制御処理を行うに当たっては、カメラＩ／Ｆ３９２は、ＩＣタグ読み取りユニット４５で読み取った物または場所に固有の固有情報から、上述した（２）の固有情報、すなわち物の種別情報を取得する。そして、取得した物の種別情報に基づいてＭＤ３６を制御することによってフォーカスモータを駆動し、レンズ３１のレンズ位置を調節する。
【００２７】
例えば、取得した物の種別情報に基づいて、ＩＣタグが付されている物体が女性用の洋服であると判定した場合には、それらの物品を着用しているのは女性であると考えられるため、被写体は女性であると判定して、最も合焦する位置より前に焦点を合わせるようにレンズ３１のレンズ位置を調整する。すなわち、レンズ３１を一旦被写体に合焦させた後、ピントが被写体よりも手前に合うようにレンズ３１を焦点深度外まで移動する。これによって、女性を淡く撮像することができ、女性の好みに合った画像を撮像することができる。
【００２８】
なお、ここでは、物の種別情報に基づいてＩＣタグが付されている物体が女性用の洋服であると判定した場合に被写体が女性であるものと判定するようにしたが、この場合、女性用の洋服自体を撮像しようとした場合にも前ピンに制御されてしまうことになる。これを避けるために、例えば、カメラ１００が種々の撮影モードを備えている場合には、設定された撮影モードがポートレートモードであり、かつ物の種別情報が女性用の洋服である場合に、被写体は女性であると判定するようにしてもよい。なお、撮影モードについては公知の技術のため、ここでは説明を省略する。
【００２９】
（Ｃ）フラッシュ制御処理
フラッシュ制御処理を行うに当たっては、カメラＩ／Ｆ３９２は、ＩＣタグ読み取りユニット４５で読み取った物または場所に固有の固有情報から、上述した（２）および（３）の各固有情報を取得する。そして、取得した固有情報に基づいてフラッシュ発光の可否を判断して、フラッシュユニット４１を制御する。
【００３０】
例えば、取得した（２）の情報、すなわち物の種別情報に基づいて、ＩＣタグが付されている物体が絵画や彫刻などの美術品であると判定した場合には、これらの物体は一般的にフラッシュ撮影が禁止されている美術館等に展示されていることが多いことから、カメラＩ／Ｆ３９２はフラッシュ発光不可と判断し、フラッシュを発光しないようにフラッシュユニット４１を制御する。
【００３１】
また、取得した（３）の情報、すなわち場所に関する観光スポット情報に基づいて、当該観光スポットが美術館や博物館などのフラッシュ撮影禁止の場所であると判定した場合には、カメラＩ／Ｆ３９２はフラッシュ発光不可と判断し、フラッシュを発光しないようにフラッシュユニット４１を制御する。また、ＩＣタグ情報にフラッシュ発光禁止情報が記録されていることをカメラＩ／Ｆ３９２が検出したことに基づいて、カメラＩ／Ｆ３９２がフラッシュ発光不可と判断してもよい。
【００３２】
カメラＩ／Ｆ３９２は、このようにフラッシュを発光しないようにフラッシュユニット４１を制御したときに、画像データに基づいて光源、色温度などの環境光の状態を検出した結果、撮像地点が暗いことを検出した場合には、ＩＳＯ感度を上げるように制御して、画像の明るさを調節するようにしてもよい。なお、ここではカメラＩ／Ｆ３９２は画像データに基づいて環境光の状態を検出する例について説明するが、例えば環境光の状態を検出するためのＳｉフォトダイオードのような光半導体を用いて光源判定を行うようにしてもよい。
【００３３】
以上より、一般的にフラッシュ撮影が禁止されている場所では、自動的にフラッシュを発光しないように制御できるため、使用者の利便性を向上することができる。また、使用者による設定忘れによって誤ってフラッシュを発光してしまうことを防ぐことができる。なお、上述した場合に該当しない場合には、カメラＩ／Ｆ３９２は、一般的なカメラと同様に、使用者によるフラッシュ発光可否の設定内容、および環境光の状態に基づいて判定される周囲の明るさに基づいて、フラッシュ発光の可否を自動的に制御すればよい。
【００３４】
画像処理部３９３は、上述したようにカメラＩ／Ｆ３９２で決定された撮像条件で撮像部１０３により撮像される画像データ（前処理画像データ）に対して、種々の画像処理を施して画像データを生成する。図２は、画像処理部３９３によって実行される画像処理フローを示す図である。
【００３５】
ＡＦＥ３８から入力された画像データ、すなわちＲＧＢ画像データは、ホワイトバランスゲイン設定ブロック（ＷＢ）１３１１で、カメラＩ／Ｆ３９２によって検出された環境光の状態すなわち光源および色温度情報に基づいて、ホワイトバランスゲインを設定してホワイトバランスを調整がなされ、補間ブロック１３１２へ出力される。この補間ブロック１３１２では、入力されたＲＧＢ画像データに補間処理を施す。すなわち、画像データを構成する各画素にＲ、Ｇ、Ｂの色成分の情報が全て存在する画像データに変換する。
【００３６】
その後、画像データはγブロック１３１３へ出力され、後述するように、ＩＣタグ読み取りユニット４５から読み込まれる場所または物に固有の固有情報に基づいて、階調変換処理が施される。次に、色再現ブロック１３１４において、後述するように、固有情報に基づいて色再現処理が施される。またここで、ＲＧＢ画像データはＹＣｂＣｒ形式の画像データに変換される。その後、ＹＣｂＣｒ形式の画像データは、拡大縮小ブロック１３１５で画像の拡大・縮小が行われた後、輪郭強調ブロック１３１６で、後述するように、固有情報に基づいて輪郭強調処理が施される。
【００３７】
そして、ＪＰＥＧ圧縮ブロック１３１７において、ＹＣｂＣｒ形式の画像データをＪＰＥＧ形式の画像ファイルに圧縮し、メモリ４２または記録メディア４４へ出力する。これによって、ＪＰＥＧ形式の画像ファイルが記録媒体へ記録される。また、同時にモニタＬＣＤ４３にも画像データの出力を行うことで、画像処理部３９３で画像処理した画像をモニタＬＣＤ４３に表示することができる。
【００３８】
γブロック１３１３によるＲＧＢ画像データに対する階調変換処理について説明する。γブロック１３１３では、まず、ＩＣタグ読み取りユニット４５で読み取った物または場所に固有の固有情報から、上述した（２）の物の種別情報を取得する。そして、取得した物の種別に応じて、画像データに対して施す階調変換処理の内容を決定する。本実施の形態では、取得した物の種別に応じて、画像データに対して施す階調変換の強さを「強い」、「標準」、「弱い」の３段階の中から選択する例について説明する。
【００３９】
なお、画像データに対して「強い」階調変換処理を施す場合には、γブロック１３１３は、図３に示す階調補正カーブ（γカーブ）の中から階調補正カーブ３ａを選択して、画像データに対して画像全体のコントラストを強くするような階調変換処理を行う。また、画像データに対して「標準」の階調変換処理を施す場合には、γブロック１３１３は、階調補正カーブ３ｂを選択して、画像データに対してカメラ１００が通常の画像に対して行う階調変換処理を施す。画像データに対して「弱い」階調変換処理を施す場合には、γブロック１３１３は、階調補正カーブ３ｃを選択して、画像全体のコントラストを弱くするような階調変換処理を行う。
【００４０】
例えば、物の種別情報に基づいて、ＩＣタグが付されている物体が時計や車などの光沢のある機械的な物体であると判定した場合には、γブロック１３１３は、画像データに対して上述した「強い」階調変換処理を施す。また、ＩＣタグが付されている貴金属やグラスなどの光沢のある物体であると判定した場合にも同様に、γブロック１３１３は、画像データに対して上述した「強い」階調変換処理を施す。これによって、画像全体をメリハリのあるくっきりとした画像に変換することができ、機械的な物体、貴金属、グラスなどの質感を的確に表現した画像を得ることができる。
【００４１】
一方、物の種別情報に基づいて、ＩＣタグが付されている物体が女性用の洋服であると判定した場合には、それらの物品を着用しているのは女性であると考えられるため、被写体は女性であると判定して、γブロック１３１３は、画像データに対して上述した「弱い」階調変換処理を施す。これによって、女性が写っている画像を淡い画像に変換することができ、女性の好みに合った画像を得ることができる。なお、上述した（Ｂ）のフォーカス制御処理の場合と同様に、設定された撮影モードがポートレートモードであり、かつ物の種別情報が女性用の洋服である場合に画像に女性が写っていると判定するようにしてもよい。
【００４２】
また、輪郭強調ブロック１３１６は、上述したγブロック１３１３による階調変換処理に対応して、輪郭強調の強さを「強い」、「弱い」、「標準」の３段階から選択して、画像データに対して輪郭強調処理を施す。すなわち、γブロック１３１３で「強い」階調変換処理が施された画像に対しては、輪郭強調ブロック１３１６は「強い」輪郭強調処理を施す。γブロック１３１３で「弱い」階調変換処理が施された画像に対しては、輪郭強調ブロック１３１６は「弱い」輪郭強調処理を施す。また、γブロック１３１３で「標準」の階調変換処理が施された画像に対しては、輪郭強調ブロック１３１６は「標準」の輪郭強調処理を施す。
【００４３】
次に、色再現ブロック１３１４による色再現処理について説明する。色再現ブロック１３１４は、ＩＣタグ読み取りユニット４５で読み取った物または場所に固有の固有情報から、上述した（１）の物に関する色情報を取得する。そして、取得した物に関する色情報に基づいて、その物体の本来の色を判定する。
【００４４】
具体的には、色再現ブロック１３１４は、物に関する色情報としてＩＣタグから取得したデイライトにおけるＲＧＢ情報（Ｒ，Ｇ，Ｂ）をＬａｂ情報（Ｌ、ａ、ｂ）に変換する。これによって、ＩＣタグから取得した物体の本来の色に対応するＬａｂ情報を取得することができる。同時に、色再現ブロック１３１４は、撮像画像のＲＧＢ画像データを、Ｌａｂ表色系の画像データ（Ｌａｂ画像データ）に変換する。そして、Ｌａｂ画像データ内から、ＩＣタグから取得した物体の本来の色に近似する色を含む画素（近似色画素）を抽出する。
【００４５】
例えば、色再現ブロック１３１４は、図４に示すような横軸にａ成分、縦軸にｂ成分をとった均等色空間のグラフ上で、ＩＣタグから取得した物体の本来の色に相当する点４ａを特定する。さらに、その点４ａに近似する色の範囲として、グラフ上に近似色範囲４ｂを設定する。そして、色再現ブロック１３１４は、図４のグラフ上に、Ｌａｂ画像データの各画素ａおよびｂ値に基づく点をプロットする。
【００４６】
次に、色再現ブロック１３１４は、点４ａを中心とする半径ｒの領域を近似色範囲４ｂとして設定する。そして、色再現ブロック１３１４は、近似色範囲４ｂ内に含まれる点に対応する画素は、ＩＣタグが付された物体の本来の色に近似する色を有する画素であると判定して、当該画素を近似色画素として抽出する。これによって、Ｌａｂ画像データ内から近似色画素を抽出することができる。なお、図４においては、近似色画素として、点４ｃおよび点４ｄに対応する画素が抽出された場合を示している。
【００４７】
色再現ブロック１３１４は、このようにＬａｂ画像データ内から抽出した近似色画素の色を、ＩＣタグが付された物体の本来の色に近づけるように色再現処理を施す。すなわち、図４に矢印で示すように、近似色範囲４ｂ内に含まれるＬａｂ画像データの各画素の色に対応する点を、均等色空間上で所定距離だけＩＣタグから取得した物体の本来の色に相当する点４ａに近づけるように補正する。これによって、Ｌａｂ画像データ内におけるＩＣタグが付された物体の色を、ＩＣタグから取得した物に関する色情報に基づいて、本来の色に近づけるような色再現処理を行うことができる。
【００４８】
その後、色再現ブロック１３１４は、色再現処理を施したＬａｂ画像データを、ＹＣｂＣｒ形式の画像データに変換して、拡大縮小ブロック１３１５へ出力する。
【００４９】
なお、上述した実施の形態において、物または場所に固有の情報をＩＣタグ読み取りユニット４５を介してＩＣタグから取得するようにし、カメラＩ／１Ｆ３９２および画像処理部３９３は、ＩＣタグから取得した情報に基づいて種々の処理を実行するようにした。このとき、カメラＩ／１Ｆ３９２および画像処理部３９３は、ＩＣタグから取得した固有情報が、種々の処理を実行するために必要な情報を含んでいない、すなわち処理に必須の情報が不足していると判断した場合には、通信装置４６を制御して外部サーバから不足している情報を取得する。
【００５０】
これによって、ＩＣタグに記録されている情報がカメラＩ／１Ｆ３９２および画像処理部３９３で必要とする情報を含んでいない場合であっても、不足している情報を補って、適切な処理を実行することが可能となる。
【００５１】
なお、通信装置４６を制御して外部サーバから不足している情報の取得を行っても、なお種々の処理に必要な情報が揃わない場合には、カメラＩ／１Ｆ３９２および画像処理部３９３は、ＩＣタグから取得される固有の情報に基づくことなく、カメラ１００固有の条件に基づいて種々の処理を実行すればよい。
【００５２】
以上説明した本実施の形態によれば、以下のような作用効果を得ることができる。
（１）ＩＣタグから読み込んだ物や場所に固有の情報に基づいて、画像の撮像条件を決定するようにした。これによって物や場所に応じた撮像条件で画像を撮像することができ、撮像後の画像は、物体の識別情報に基づいて画像処理を施す場合に比べて見栄えの良いものにすることができる。
【００５３】
（２）ＩＣタグから読み込んだ物や場所に固有の情報に基づいて、カメラ１００の露出制御を行うようにした。これによって、ＩＣタグが付された物や場所に適した露出条件で画像を撮像することができる。
【００５４】
（３）ＩＣタグから読み込んだ物や場所に固有の情報に基づいて、カメラ１００のフォーカス制御を行うようにした。これによって、ＩＣタグが付された物や場所に適したピント調節を行って画像を撮像することができる。
【００５５】
（４）ＩＣタグから読み込んだ物や場所に固有の情報に基づいて、カメラ１００のフラッシュ制御を行うようにした。これによって、ＩＣタグが付された物や場所に応じて、フラッシュ発光の可否を判定し、フラッシュの発光を自動で制御することができる。
【００５６】
（５）ＩＣタグから読み込んだ物や場所に固有の情報に基づいて、撮像後の画像に対して種々の画像処理を施すようにした。これによって、ＩＣタグから読み込んだ物や場所に固有の情報に基づく撮像条件で撮像した画像をさらに見栄えのよいものにすることができる。
【００５７】
（６）ＩＣタグから読み込んだ物や場所に固有の情報に基づいて、撮像後の画像に輪郭強調処理を施すようにした。これによって、画像に写っている物や場所に応じた適切な輪郭強調処理を施すことができる。
【００５８】
（７）ＩＣタグから読み込んだ物や場所に固有の情報に基づいて、撮像後の画像に階調補正処理を施すようにした。これによって、これによって、画像に写っている物や場所に応じた適切な階調補正処理を施すことができる。
【００５９】
（８）ＩＣタグから読み込んだ物や場所に固有の情報に基づいて、撮像後の画像に色再現処理を施すようにした。これによって、これによって、画像に写っている物や場所に応じた適切な色再現処理を施すことができる。
【００６０】
（９）カメラＩ／１Ｆ３９２および画像処理部３９３は、処理に必須の情報が不足していると判断した場合には、通信装置４６を制御して外部サーバから不足している情報を取得するようにした。これによって、ＩＣタグに記録されている情報がカメラＩ／１Ｆ３９２および画像処理部３９３で必要とする情報を含んでいない場合であっても、不足している情報を補って、適切な処理を実行することが可能となる。
【００６１】
―変形例―
なお、上述した実施の形態のカメラは、以下のように変形することもできる。
（１）上述した実施の形態では、カメラＩ／１Ｆ３９２は、ＩＣタグから読み込んだ物や場所に固有の情報に基づいて、露出制御処理、フォーカス制御処理、およびフラッシュ制御処理を実行する例について説明した。しかしこれに限定されず、使用者によって操作ＳＷ４０が操作され、露出制御、フォーカス制御、およびフラッシュ制御の制御方法が設定された場合には、ＩＣタグから読み込んだ物や場所に固有の情報に基づくことなく、使用者による設定内容に基づいて露出制御処理、フォーカス制御処理、およびフラッシュ制御処理を実行してもよい。これによって、使用者は好みの制御方法をカメラ１００に指示することができるようになる。
【００６２】
（２）また、画像処理部３９３も使用者によって操作ＳＷ４０が操作され、輪郭強調、階調変換、色再現の各処理の条件が設定された場合には、ＩＣタグから読み込んだ物や場所に固有の情報に基づくことなく、使用者による設定内容に基づいて輪郭強調処理、階調変換処理、および色再現処理を実行してもよい。
【００６３】
なお、本発明の特徴的な機能を損なわない限り、本発明は、上述した実施の形態における構成に何ら限定されない。
【図面の簡単な説明】
【００６４】
【図１】カメラの一実施の形態の構成を示すブロック図である。
【図２】画像処理部３９３によって実行される画像処理フローを示す図である。
【図３】階調補正カーブ（γカーブ）の具体例を示す図である。
【図４】均等色空間のグラフの具体例を示す図である。
【符号の説明】
【００６５】
１００  カメラ、１０３  撮像部、３１  レンズ、３２  絞り、３３  メカニカルシャッター、３４〜３６  モータドライバ（ＭＤ）、３７  ＣＣＤ、３８  ＡＦＥ、３９  ＡＳＩＣ、３９１  ＣＰＵ、３９２  カメラＩ／Ｆ、３９３  画像処理部、４０  操作ＳＷ、４１  フラッシュユニット、４２  メモリ、４３  モニタＬＣＤ、４４  記録メディア、４５  ＩＣタグ読み取りユニット、４６  通信装置
【図１】
2007178804.tif 000003
【図２】
2007178804.tif 000004
【図３】
2007178804.tif 000005
【図４】
2007178804.tif 000006